(57)【要約】      （修正有）【課題】顧客の作業を低減し、修理・点検が必要な場合は顧客が迷わず問い合わせ先を知ることができ、問い合わせも容易にする表示方法を提供する。【解決手段】被加熱物を収納する加熱室と、被加熱物を加熱する加熱手段と、加熱手段の状態を表示する表示部Ａと、表示部Ａに使用方法の間違えまたは故障を知らせるためのエラーコードを表示するときに、顧客が次におこなう作業の情報を有する二次元コードをエラーコードと同時に表示する。【選択図】図４
2019060504.tif 000002
【特許請求の範囲】
【請求項１】
被加熱物を収納する加熱室と、
前記被加熱物を加熱する加熱手段と、
前記加熱手段の状態を表示する表示部と、
前記表示部に使用方法の間違えまたは故障を知らせるためのエラーコードを表示するときに、顧客が次におこなう作業の情報を有する二次元コードを前記エラーコードと同時に表示することを特徴とする、加熱調理器。
【請求項２】
顧客が行わない特殊操作でエラー履歴確認モードに移行し、修理情報へ導く二次元コードを表示することを特徴とする、請求項１に記載の加熱調理器。
【発明の詳細な説明】
【技術分野】
【０００１】
本発明は、加熱調理器に関するものである。
【背景技術】
【０００２】
特許文献１では、商品に関する説明の動画を容易に閲覧することを可能とする印刷物を提供することが開示されている。
【０００３】
特許文献２では、家電機器の状態を診断するための製品情報を変換して出力し、出力された信号を撮影して家電機器の状態を診断し、家電機器の故障可否を診断して故障に対応できるようにする家電機器、家電機器診断装置、及びその方法を提供することが開示されている。
【先行技術文献】
【特許文献】
【０００４】
【特許文献１】特開２０１５−９０６３０号公報
【特許文献２】特開２０１３−１４９２５２号公報
【発明の概要】
【発明が解決しようとする課題】
【０００５】
従来技術における、エラー発生から問題解決までのフローを図３、図４を使用して説明する。従来はエラー発生時、顧客の使用方法の間違えによるエラーコードＢと故障によるエラーコードＤを表示部Ａに表示し、表示されたエラーコードを顧客自身が使用方法の間違えによるエラーコードＢなのか故障によるエラーコードＤなのかを取扱説明書やホームページを確認し判断し、使用方法の間違えによるエラーであれば対処方法を取扱い説明書やホームページを確認して再度作業し問題解決していた。また、故障によるエラーであれば問い合わせ先を取扱い説明書やホームページから顧客自身で確認し問い合わせて問題を解決するようになっていた。
【０００６】
つまり、従来は使用方法の間違えか、故障なのかを顧客自身が調べ、判断する必要あった。
【課題を解決するための手段】
【０００７】
本発明の加熱調理器は上記の問題を解決するものであり、被加熱物を収納する加熱室と、前記被加熱物を加熱する加熱手段と、前記加熱手段の状態を表示する表示部と、
前記表示部に使用方法の間違えまたは故障を知らせるためのエラーコードを表示するときに、顧客が次におこなう作業の情報を持った二次元コードを前記エラーコードと同時に表示するものである。
【発明の効果】
【０００８】
本発明では、顧客の誤使用によるエラー表示の場合は対処方法を容易に提供し、故障によるエラー発生時には問い合わせ先を表示することで、顧客の作業を低減し、修理・点検が必要な場合は顧客が迷わず問い合わせ先を知ることができ、問い合わせも容易にすることができる。
【図面の簡単な説明】
【０００９】
【図１】一実施例の加熱調理器の本体の正面図。
【図２】同加熱調理器の本体から外枠を取り外した状態を前方側から見た斜視図。
【図３】エラー発生から問い合わせのフロー図
【図４】エラー表示図（ａ）誤使用によるエラーコード表示（ｂ）故障によるエラーコード表示
【図５】特殊操作の表示のフロー図
【図６】エラー履歴確認モードのエラー表示図
【発明を実施するための形態】
【００１０】
以下、図面を参照して、本発明の加熱調理器の一実施例を説明する。
【００１１】
図１において、加熱調理器の本体１は、加熱室２８の中に加熱する被調理物を入れ、マイクロ波やヒータ、水蒸気の熱を使用して被調理物を加熱調理する。
【００１２】
ドア２は、加熱室２８の内部に被調理物を出し入れするために開閉するもので、ドア２を閉めることで加熱室２８を密閉状態にし、被調理物を加熱する時に使用するマイクロ波の漏洩を防止し、熱を封じ込め、効率良く加熱することを可能とする。
【００１３】
取っ手９は、ドア２に取り付けられ、ドア２の開閉を容易にするものである。
【００１４】
ガラス窓２ｂは、調理中の食品の状態が確認できるようにドア２に取り付けられ、ヒータ等の発熱による高温に耐えるガラスを使用している。
【００１５】
ドア２の下側に設けられた操作表示部６により、ＬＣＤ表示器６０４に表示される手動調理の調理方法や、調理出力設定や調理温度設定や調理時間設定や調理仕上り設定やオーブン調理の予熱の有無設定等を選択し、スタートキー６０２を押し動作開始する。
【００１６】
ＬＣＤ表示器６０４には、調理に必要な食材や調味料などの使用量を表示し、使用者は表示内容に従い調理準備を行なう。なお、オート調理メニューとは重量検出手段２５や温度センサ（図示せず）の検知入力と制御手段２３の制御により自動的に調理するもので、調理出力や加熱時間や温度、分量等を設定する必要が無い。
【００１７】
操作表示部６は、ドア２の前面下側の操作パネル６ｂで構成される。
【００１８】
操作パネル６ｂには、メニューの決定や調理のスタートを入力するスタートキー６０２、設定の取り消しや調理の中止を入力する取消しキー６０１、各種の選択をする選択キー６０、手動調理の調理方法やオート調理メニュー、調理出力設定や調理温度設定や調理時間設定や調理仕上り設定や調理に必要な食材や調味料などの使用量、オーブン調理の予熱の有無設定等本体１の状態や操作などの情報を表示するＬＣＤ表示器６０４を備える。オート調理メニューとは重量検出手段２５や前記温度センサ（図示せず）の検知入力と制御手段２３の制御により自動的に調理するもので、調理出力や加熱時間や温度、分量等を設定する必要が無いものである。
【００１９】
操作表示部６は、マイクロ波で被調理物を加熱するレンジ加熱手段（図示せず）、加熱室２８の加熱室上面に設けたヒータで被調理物を加熱するグリル加熱手段１２、水蒸気により被調理物を加熱する蒸気発生手段４３、加熱室奥壁面２８ｂの上方または下方に設けた熱風ヒータ１４などによる熱風ユニット１１の熱風で加熱室２８を加熱するオーブン加熱手段を選択し、加熱する時間等の調理条件やメニューを入力し、入力された内容や調理の進行状態を表示する。
【００２０】
設定により、電子レンジ調理、グリル調理、オーブン調理、スチーム・過熱水蒸気調理
の４種類の調理方法を単独もしくは組み合わせて行うことにより多様な調理を行う。本発明によると顧客の使用方法間違いによるエラーの場合（たとえば付属品のセット漏れ）は、図４（ａ）に示すように、ＬＣＤ表示器６４の表示部ＡにエラーコードＢを表示すると同時に、二次元コードＣを表示する。
【００２１】
この場合の二次元コードＣは、エラーに対応した正しい使用方法を説明する動画ホームページの情報を有するものである。
【００２２】
顧客が二次元コードＣをスマートフォン等で読み取ることで、ホームページに繋がり正しい使用方法をスマートフォンに表示する。これにより、エラーコードＢの種類や内容を取扱説明書などで調べることなく、正しい使用方法を説明する動画等ホームページを顧客のスマートフォンで手元で確認することができる。
【００２３】
故障によるエラーの場合、図４（ｂ）に示すように、表示部Ａに故障を示すエラーコードＤを表示すると同時に二次元コードＥを表示する。二次元コードＥは、問い合わせ先の電話番号やメールアドレス、ホームページの情報を有するものである。
【００２４】
スマートフォン等で読み取ることでホームページに繋がり、スマートフォン等に表示される情報によって、問い合わせの要否や問い合わせ先を迷わず問い合わせすることができる。
【００２５】
顧客がスマートフォンで二次元コードＥを読み取ることによって、メールやホームページから問い合わせする際は、ホームページの問い合わせをするスマートフォンの画面の本文や、ホームページの問い合わせメールにエラーコードＤを自動でコピーする。顧客は、スマートフォンに自動でコピーされたエラーコードＤを用いて問い合わせすることができる。
【００２６】
顧客がスマートフォンで二次元コードＥを読み取って、スマートフォンのホームページに繋がり、スマートフォンの画面に表示されるエラーの問い合わせ先の電話番号は、複数あるエラーコードごとに電話番号を分けて設けられる。
【００２７】
電話の場合は複数あるエラーコードごとに電話番号を分けることで、問い合わせを受ける側と顧客の間でのエラーコードの記録間違いを防ぎ、問い合わせの対応がスムーズかつ正確な不具合情報を提供することができる。
【００２８】
表示部ＡにエラーコードＢ、Ｄが表示された場合には二次元コードＣ、Ｅを読み取るように促す注記を表示部Ａに同時に表示するか、通常使用状態で視認が可能な本体の外郭（ドアやキャビネットなど）および取扱説明書に明記する。
【００２９】
例えば、図４に図示するように、操作表示部６の上部でガラス窓２ｂの下には、「エラーコード表示時には二次元コードを読み取りしてください。」という説明をドア２に印刷、または印刷物の貼り付け等により表示する。
【００３０】
次に図５、図６を用いて説明する。例えば、顧客から修理者へ修理等を依頼し、本体１を操作する条件が変わった場合、修理者が操作表示部６の特殊操作等によって、顧客が通常使用しない状態で顧客が容易には入ることのできない特殊なモードに移行した場合のみ、エラー履歴確認モードに移行する。
【００３１】
エラー履歴確認モードでは、エラーコードＤと同時に二次元コードＦを表示する。二次元コードＦは、分解・修理作業の方法を記録した動画やホームページの情報を有する修理情報へ導く二次元コードである。修理作業者が二次元コードを読み取ることで容易に作業方法を確認することができる。
【００３２】
以上、本実施例によれば、顧客の作業を低減し、修理・点検が必要な場合は顧客が迷わず問い合わせ先を知ることができ、問い合わせも容易にすることができる。
【００３３】
顧客の誤操作による場合など顧客のところで対応可能な内容についての問い合わせ件数を減らすことが可能である。
【００３４】
更に、修理者であるサービスマンなどの限られた分解・修理作業者にのみ分解・修理の手順に関わる情報を容易に提供することで、修理効率を向上させるものである。
【符号の説明】
【００３５】
６・・・操作表示部、２８・・・加熱室、Ａ・・・表示部、Ｂ，Ｄ・・・エラーコード、Ｃ，Ｅ，Ｆ・・・二次元コード
【図１】
2019060504.tif 000003
【図２】
2019060504.tif 000004
【図３】
2019060504.tif 000005
【図４】
2019060504.tif 000006
【図５】
2019060504.tif 000007
【図６】
2019060504.tif 000008